(57)【要約】【課題】シリーズ番組の検索および予約録画が簡単に行えるようにした番組表搭載デジタル放送受信機を提供する【解決手段】放送局から発信される放送信号を受信する受信手段４と、この受信手段４が受信した放送信号を映像表示が可能な信号に変換して表示装置に出力する信号変換手段５、６、９と、番組選択等の各種指令を入力するための入力手段３と、番組情報を記憶する記憶手段１１と、前記各手段を制御するとともに、前記入力手段３からの指令を受け、前記記憶手段１１に記憶させた番組情報に基いてＥＰＧを作成し、この作成したＥＰＧを前記ＯＳＤ表示手段１０を介して前記表示装置３０にＥＰＧ画面４１として表示させ、かつ、番組をグループとして扱うシリーズ番組情報一覧一覧４２を前記ＥＰＧ画面４１と同一画面に表示し、前記ＥＰＧ画面４１で選択表示されている番組が前記シリーズ番組情報一覧一覧４２から選択されると、その選択されたシリーズ番組情報一覧一覧の詳細を表示するようにした制御手段と、を備える。【選択図】図１
2006067027.tif 000002
【特許請求の範囲】
【請求項１】
放送局から発信されるデジタル／アナログ放送信号を受信する受信手段と、
この受信手段が受信した放送信号を復号するデジタル／アナログ復号手段と、
このデジタル／アナログ復号手段が復号した復号信号を映像表示が可能な信号に変換して
表示装置に出力する信号変換手段と、
前記表示装置に所定のＯＳＤ表示をさせるＯＳＤ表示手段と、
番組選択等の各種指令を入力するための入力手段と、
前記デジタル／アナログ復号手段が復号した復号信号に含まれる番組情報を記憶する記憶
手段と、
前記各手段を制御するとともに、前記入力手段からの指令を受け、前記記憶手段に記憶さ
せた番組情報に基いてＥＰＧを作成し、この作成したＥＰＧを前記ＯＳＤ表示手段を介し
て前記表示装置にＥＰＧ画面として表示させ、かつ、番組をグループとして扱うシリーズ
番組情報一覧を前記ＥＰＧ画面と同一画面に表示し、前記ＥＰＧ画面で選択した番組がシ
リーズ番組であった場合に、シリーズ番組情報一覧において、当該番組を強調表示すると
ともに、当該番組の詳細を表示するように制御する制御手段と、を備えたことを特徴とす
る番組表搭載デジタル放送受信機。
【請求項２】
放送局から発信される放送信号を受信する受信手段と、
この受信手段が受信した放送信号を映像表示が可能な信号に変換して表示装置に出力する
信号変換手段と、
番組選択等の各種指令を入力するための入力手段と、
番組情報を記憶する記憶手段と、
前記各手段を制御するとともに、前記入力手段からの指令を受け、前記記憶手段に記憶さ
せた番組情報に基いてＥＰＧを作成し、この作成したＥＰＧを前記表示装置にＥＰＧ画面
として表示させ、かつ、番組をグループとして扱うシリーズ番組情報一覧を前記ＥＰＧ画
面と同一画面に表示し、前記ＥＰＧ画面で選択した番組がシリーズ番組であった場合に、
シリーズ番組情報一覧において、当該番組を強調表示するとともに、当該番組の詳細を表
示するように制御する制御手段と、を備えたことを特徴とする番組表搭載デジタル放送受
信機。
【請求項３】
前記ＥＰＧ画面で任意の番組が選択表示されている状態において、当該番組の前回の放送
日または次回の放送予定日に当該ＥＰＧ画面を遷移させるように操作する操作手段を備え
たことを特徴とする請求項２記載の番組表搭載デジタル放送受信機。
【請求項４】
不定期、同日内複数編成、長時間番組の分割がある場合は、リピートラベル（repeat-l
abel）の一致するものを優先し、他の番組と区別して視認可能に表示することを特徴とす
る請求項２または３記載の番組表搭載デジタル放送受信機。
【発明の詳細な説明】
【技術分野】
【０００１】
この発明は、例えばＢＳ（Broadcasting Satellite）デジタル放送やＣＳ（Communicat
ion Satellite）デジタル放送、あるいは地上波放送において、番組選択や録画予約を行
う番組表を搭載した番組表搭載デジタル放送受信機に関する。
【背景技術】
【０００２】
近年、デジタル放送などの分野では、ＭＰＥＧの画像圧縮技術の利用により、多チャン
ネルの番組を広範囲にわたった放送サービスが提供されつつある。しかしながら、チャン
ネル数の増加によって、新聞や雑誌のような印刷物による番組表から当日、翌日、１週間
後などの番組を探し出してチャンネル選択や録画予約を行うことは、多くのユーザにとっ
て煩雑なものとなっている。そこで、その対策としてユーザがＴＶ画面上で番組検索や選
択ならびに録画予約等をできるように、番組情報など番組表を作るために必要なデータを
画像データや音声データとともに多重化して放送し、そして、デジタル放送チューナなど
でこの番組表に必要なデータを受信するとともに、この受信データに基づきデジタル放送
チューナなどで番組表を作成してテレビジョン装置などに映し出す電子番組表（以下、Ｅ
ＰＧと称す）が使用されるようになってきており、ＥＰＧによるさまざまな番組表機能が
開発されている。
【０００３】
例えば、特許文献１には、ユーザが選択した特定のシリーズを構成する各シリーズ番組
の詳細情報をユーザに提示することができるデジタル放送受信機が開示されている。
【０００４】
また、特許文献２には、番組ガイド等の各種情報提供処理を簡潔に行うため、２つの画
面作成手段と、表示装置の形態を表す手段を設け、表示装置の形態によって提供情報を変
える、すなわち、第１の画面のみを表示したり、第１、第２の画面を合成して表示するこ
とができるようにした受信装置が開示されている。
【特許文献１】特開２００１−２５７９５５号公報
【特許文献２】特開２００１−３６８３６号公報
【発明の開示】
【発明が解決しようとする課題】
【０００５】
テレビ番組には、毎日、毎週１回、月曜から金曜まで毎日放送する番組、あるいはサッ
ー中継のように月に何回かの不定期に放送する番組等、番組を所定のグループとして扱う
シリーズ番組がある。従来、このようなシリーズ番組を検索しあるいは録画予約を行う際
は、ＥＰＧ画面から検索するしかないため、例えば、１週間先のシリーズ番組をＥＰＧに
表示させる場合、リモコンのキー操作で１週間先にＥＰＧ画面を遷移させなければならず
、リモコン操作が面倒である。さらにまた、サッカー中継のように日程や時間が不定期の
番組では、ＥＰＧには表示できないことがあり、その場合は検索が困難であるという問題
があった。
【０００６】
上述のように、特許文献１には、シリーズリストを画面に表示する技術が開示され、特
許文献２には、番組ガイド部と、この番組ガイド部で選択されている番組の詳細を表示す
る画面の２画面を表示する技術が開示されているが、いずれもＥＰＧとシリーズ番組情報
一覧を同時に表示していないため、シリーズ番組の検索が困難であるという問題は解消さ
れない。
【０００７】
本発明の目的は、シリーズ番組の検索および予約録画が簡単に行えるようにした番組表
搭載デジタル放送受信機を提供することにある。
【課題を解決するための手段】
【０００８】
第１発明に係る番組表搭載デジタル放送受信機は、放送局から発信されるデジタル／アナ
ログ放送信号を受信する受信手段と、この受信手段が受信した放送信号を復号するデジタ
ル／アナログ復号手段と、このデジタル／アナログ復号手段が復号した復号信号を映像表
示が可能な信号に変換して表示装置に出力する信号変換手段と、前記表示装置に所定のＯ
ＳＤ表示をさせるＯＳＤ表示手段と、番組選択等の各種指令を入力するための入力手段と
、前記デジタル／アナログ復号手段が復号した復号信号に含まれる番組情報を記憶する記
憶手段と、前記各手段を制御するとともに、前記入力手段からの指令を受け、前記記憶手
段に記憶させた番組情報に基いてＥＰＧを作成し、この作成したＥＰＧを前記ＯＳＤ表示
手段を介して前記表示装置にＥＰＧ画面として表示させ、かつ、番組をグループとして扱
うシリーズ番組情報一覧を前記ＥＰＧ画面と同一画面に表示し、前記ＥＰＧ画面で選択し
た番組がシリーズ番組であった場合に、シリーズ番組情報一覧において、当該番組を強調
表示するとともに、当該番組の詳細を表示するように制御手段と、を備えたことを特徴と
する。
【０００９】
この番組表搭載デジタル放送受信機によれば、ＥＰＧ画面とシリーズ番組情報一覧画面
が同時に表示されるため、ＥＰＧ画面で選択した番組からシリーズ番組の詳細情報が簡単
に検索でき、予約録画も簡単に行うことができる。
【００１０】
第２発明に係る番組表搭載デジタル放送受信機は、放送局から発信される放送信号を受
信する受信手段と、この受信手段が受信した放送信号を映像表示が可能な信号に変換して
表示装置に出力する信号変換手段と、番組選択等の各種指令を入力するための入力手段と
、番組情報を記憶する記憶手段と、前記各手段を制御するとともに、前記入力手段からの
指令を受け、前記記憶手段に記憶させた番組情報に基いてＥＰＧを作成し、この作成した
ＥＰＧを前記表示装置にＥＰＧ画面として表示させ、かつ、番組をグループとして扱うシ
リーズ番組情報一覧を前記ＥＰＧ画面と同一画面に表示し、前記ＥＰＧ画面で選択した番
組がシリーズ番組であった場合に、シリーズ番組情報一覧において、当該番組を強調表示
するとともに、当該番組の詳細を表示するように制御する制御手段と、を備えたことを特
徴とする。
【００１１】
この番組表搭載デジタル放送受信機によれば、ＥＰＧ画面とシリーズ番組情報一覧画面
が同時に表示されるため、ＥＰＧ画面で選択した番組からシリーズ番組の詳細情報が簡単
に検索でき、予約録画も簡単に行うことができる。
【００１２】
第３発明に係る番組表搭載デジタル放送受信機は、前記ＥＰＧ画面で任意の番組が選択
表示されている状態において、当該番組の前回の放送日または次回の放送予定日に当該Ｅ
ＰＧ画面を遷移させるように操作する操作手段を備えたことを特徴とする。
【００１３】
この番組表搭載デジタル放送受信機によれば、ＥＰＧ画面で選択している番組の前回ま
たは次回の内容を簡単に見ることができる。また、シリーズ番組である番組の次回放送分
を録画予約したい場合には、ＥＰＧ画面で選択している番組の次回を表示し、その画面に
おいて簡単に録画予約を行うことができる。
【００１４】
第４発明に係る番組表搭載デジタル放送受信機は、不定期、同日内複数編成、長時間番
組の分割がある場合は、リピートラベル（repeat-label）の一致するものを優先し、他の
番組と区別して視認可能に表示することを特徴とする。
【００１５】
この番組表搭載デジタル放送受信機によれば、不定期、同日内複数編成、長時間番組の
分割がある場合でも、他の番組と区別して視認することができる。
【発明を実施するための最良の形態】
【００１６】
以下、本発明の実施の形態を図面に基づいて説明する。
【００１７】
図１は、本実施形態によるデジタル／アナログ放送受信装置のブロック構成を示してい
る。
【００１８】
デジタル／アナログ放送受信装置（ＳＴＢ）１には、放送局から所定周波数の高周波電
波で発信されるテレビ放送信号を受信するためのアンテナ２０と、テレビ放送の映像を映
し出すためのテレビモニタ（表示装置）３０が接続される。放送受信装置１は、放送局か
ら発信されるＡＴＳＣ放送信号やＮＴＳＣ放送信号をアンテナ２０を介して受信し、これ
らの放送信号により配信されるテレビ番組の映像をテレビモニタ３０に映し出すための装
置である。
【００１９】
放送受信装置１は、リモコン（入力手段）２からの入力信号を受信するリモコン受信部
３と、チューナ（受信手段）４と、ＮＴＳＣデコーダ（アナログ復号手段）５と、ＭＰＥ
Ｇエンコーダ６と、ＡＴＳＣフロントエンド（デジダル復号手段）７と、ＭＰＥＧデコー
ダバックエンド（信号変換手段）９と、ＯＳＤ回路１０と、メモリ１１と、制御部（制御
手段、検索手段、色変更制御手段、ハイライト表示制御手段、警告手段）１３とから構成
されている。
【００２０】
リモコン２は、視聴するテレビ番組のチャンネル選局、テレビ番組の視聴予約及び、Ｅ
ＰＧ画面の表示等の各種操作を行うためのものであり、ユーザにより操作される。リモコ
ン２は、これら各種の操作を可能とするため、後述のような各種操作ボタンを備えており
、各種操作ボタンを操作すると、その操作に応じた赤外線信号等の無線信号を送出する。
【００２１】
リモコン受信部３は、リモコン２から送出された信号を受信し、リモコン２での操作に
対応する信号を制御部１３へ出力する。チューナ４は、その受信周波数をリモコン２で選
局操作されたチャンネルに対応する周波数に同調させることにより、選局操作されたチャ
ンネルのテレビ放送信号をアンテナ２０を介して受信する。
【００２２】
ＮＴＳＣデコーダ５は、リモコン２によりＮＴＳＣ（National Television Systems Co
mmittee）放送のチャンネルが選局された場合、チューナ４で受信したＮＴＳＣ放送信号
をテレビ番組の映像信号と音声信号に復調し、その映像信号と音声信号をＭＰＥＧエンコ
ーダ６へ出力する。ＭＰＥＧエンコーダ６は、ＮＴＳＣデコーダ５から出力された映像信
号と音声信号をＭＰＥＧ規格でデジタル圧縮符号化し、ＭＰＥＧデコーダバックエンド９
へ出力する。
【００２３】
ＡＴＳＣフロントエンド７は、リモコン２によりＡＴＳＣ放送のチャンネルが選局され
た場合、チューナ４で受信した８ＶＳＢ方式で変調されたＡＴＳＣ放送信号を、ＭＰＥＧ
規格でデジタル圧縮符号化された複数のテレビ番組の映像と音声、及び電子番組情報等の
信号が時分割多重化された状態のＴＳ信号に復調する。そして、ＡＴＳＣフロントエンド
７は、このＴＳ信号から、リモコン２で選局されたチャンネルのテレビ番組の映像信号と
音声信号を分離抽出してＭＰＥＧデコーダバックエンド９へ出力すると共に、電子番組情
報を抽出して制御部１３へ出力する。この電子番組情報には、各番組の番組名、番組説明
及びユーザの視聴を制限するためのレイティング情報などが含まれる。
【００２４】
ＭＰＥＧデコーダバックエンド９には、ＭＰＥＧエンコーダ６及びＡＴＳＣフロントエ
ンド７から出力されるＭＰＥＧ規格によりデジタル圧縮符号化された映像信号と音声信号
が入力される。ＭＰＥＧデコーダバックエンド９は、これらの映像信号と音声信号をデジ
タル圧縮符号化される前の信号に復号することで、テレビモニタ３０に映像を映し出すと
共に音声を出力するための信号を生成する。ＭＰＥＧデコーダバックエンド９から出力さ
れた映像信号は、ＯＳＤ回路１０を介してテレビモニタ３０へ出力される。
【００２５】
ＯＳＤ回路１０は、ＭＰＥＧデコーダバックエンド９から出力される映像信号にチャン
ネル番号やＥＰＧ画面等の所定のオンスクリーン表示データを重畳する。これにより、テ
レビモニタ３０には、テレビ番組の映像にオンスクリーン表示データによる画像が重ねて
表示される。
【００２６】
メモリ１１は、各チャンネルのテレビ放送信号の周波数データ及び各種のオンスクリー
ン表示データを記憶している。また、メモリ１１は、ＡＴＳＣフロントエンド７が抽出し
た電子番組情報を記憶する。
【００２７】
制御部１３は、リモコン２によりＮＴＳＣ放送のチャンネルが選局された場合には、チ
ューナ４に対して選局されたチャンネルのＮＴＳＣ放送信号を受信させると共に、ＮＴＳ
Ｃデコーダ５に対して映像信号と音声信号を復調再生させる。また、リモコン２によりＡ
ＴＳＣ放送のチャンネルが選局された場合には、チューナ４に対して選局されたチャンネ
ルのＡＴＳＣ放送信号を受信させ、ＡＴＳＣフロントエンド７に対して選局されたチャン
ネルの映像信号と音声信号を分離抽出させる。
【００２８】
また、制御部１３は、チューナ４に対してＡＴＳＣ放送信号を受信させ、ＡＴＳＣフロ
ントエンド７から出力される電子番組情報をメモリ１１に記憶させる。そして、リモコン
２によりＥＰＧ画面の表示操作が行われると、メモリ１１に記憶させた電子番組情報を参
照して、ＥＰＧの番組選択画面の表示画像を作成し、その画像信号をＯＳＤ回路１０へ出
力する。これにより、ＥＰＧの番組選択画面がテレビモニタ３０に表示される。次に、こ
の実施の形態のチューナ１から出力される番組表の構成例を説明する。
【００２９】
図２は、チューナ１から表示信号として出力されディスプレイに映し出される番組表の
一例を示す画像図である。
【００３０】
同図に示すように、この番組表４０は、ある年月日（この例では、２００４年６月４日
(金）における、ＥＰＧ画面４１と、このＥＰＧ画面４１の右側に表示されるシリーズ番
組一欄表４２とが同時に一画面に表示されたものである。
【００３１】
ＥＰＧ画面４１は、縦軸に放送局名４３、横軸に時間４４およびそれぞれの時間におけ
る番組名４５を表示したもので、従来から用いられている通常のものである。シリーズ番
組一覧表４２には、電子番組情報に含まれるシリーズ番組を順番に表示されている。例え
ば、ＥＰＧ画面４１に表示されているチャンネル順に表示させ、同一チャンネルの番組で
あれば放送時間の早い順番に表示する。シリーズ番組一覧表４２に表示させる番組の順番
はこれに限らず、放送期間が長い順、放送頻度が高い順等に並べても良い。
【００３２】
シリーズ番組一欄表４２には、シリーズ番組、例えば、毎日、月曜から金曜に毎日、毎
週１回、月１回のように規則的に放映される番組、あるいはサッカー中継等のように不定
期な番組が表示されている。この例では、放送局ＫＨＮ１のドラマ１３（毎週）、大リー
グ中継（不定期）、クッキングＡ（毎週）、ＫＨＮ２の将棋放送（月１）、連ドラＡＡＡ
（毎週）、ＫＨＮＨドラマＡＢＣ（毎週）の例を示している。
【００３３】
図４は、リモコン２の構成例を示している。通常のチャンネルキー５１の下部に、メニ
ューキー５２、検索キー５３および十字キー５４（カーソルキー）が設けられている。メ
ニューキー５２を押すごとに、図５に示すように、1)チャンネル案内、2)番組案内、3)シ
リーズ案内、4)予約のいずれかがメニュー画面５５で選択される。メニューキー５４の操
作で2)番組案内を選択し、検索キー５３を押すことにより、上記のようなＥＰＧ画面４１
がテレビモニタ３０に表示され、同様にして十字キー５４で3)シリーズ案内を選択し、検
索キー５３を押すことにより、上記のようなシリーズ番組一欄表４２がテレビモニタ３０
に表示される。なお、ここにいうフォーカスとは、その部分の光度を強くしたり、点滅さ
せたり、反転させたり等により、他の部分と区別できるようにすることである。
【００３４】
十字キー５４によりＥＰＧ４１の画面を上下左右にフォーカスすることができる。いま
、ＥＰＧ画面４１において、図３に示すように、ある番組、この例では、「クッキングＡ
」４６をフォーカスする（「クッキングＡ」４６にカーソルを合わせる）と、ＥＰＧ画面
４１の下部の番組情報表示部４７に「クッキングＡ」に関する番組情報、例えば、出演者
、番組内容等が表示される。また、選択番組「クッキングＡ」がシリーズ番組である場合
（クッキングＡにシリーズ情報がある場合）には、ＥＰＧ画面４１での「クッキングＡ」
にカーソルを合わせることに連動して、シリーズ番組一覧表４２中において、当該番組「
クッキングＡ」がフォーカス（強調表示）され、このクッキングＡに関するシリーズ情報
、例えば、シリーズ名、編成、残話数、最終放送日等が下部のシリーズ情報表示部４９に
表示される。また、リモコン２のカラーボタン（図示せず）等に割り当てられたモード切
替ボタンによって、ＥＰＧ画面４１とシリーズ番組一覧表４２との何れかをアクティブに
することができる。シリーズ番組一覧表４２をアクティブの状態で、番組を選択すること
もできる。図３の例において、シリーズ番組一覧表４２をアクティブにして、「クッキン
グＡ」が選択されている状態で、十字キー５４でフォーカスを下に移動させると、「将棋
放送」が選択され、「将棋放送」に関するシリーズ情報がシリーズ情報表示部４９に表示
される。
【００３５】
ＥＰＧ画面４１でシリーズ情報の番組をフォーカスしている状態で、リモコン２の次回
キー５６を押すと、その番組（図３ではクッキングＡ）の次回の放送予定日（この例では
６月１１日）にＥＰＧ画面を遷移させ、前回キー５７を押すと前回の放送日（この例では
５月２８日）に遷移させるようになっている。図３において、「クッキングＡ」の次回分
（６月１１日放送分）を録画予約したい場合には、次回キー５６によって「クッキングＡ
」の６月１１日放送分を表示させ、その画面において、「クッキングＡ」の６月１１日放
送分を録画予約することができる。従って、シリーズ番組の録画予約を容易に行えるよう
になる。
【００３６】
シリーズ情報の編成には、不定期、同日内複数話編成、あるいは長時間番組の分割等が
あり、これらはＥＰＧ画面に複数表示してもよい、その場合は、電子番組情報に含まれる
repeat-label（リピートラベル）の一致するものを優先し、視認可能な状態で表示する。
repeat-labelとは、再放送の回数であり、シリーズの再放送の放送期間が重なる場合に、
再放送の番組のrepeat-labelを０ｘ１とし、さらにもう１つ再放送がある場合、repeat-l
abelを０ｘ２とし、本放送にはrepeat-label０ｘ０を与えている。
【００３７】
例えば、この番組がドラマ１３の本放送（リピートラベル０）であれば、ドラマ１３の
本放送の各回放送分を網掛け５０で区別して表示することができる。特に、ＥＰＧ画面４
１が、１日分、１週間分等の番組情報を表示した場合に、シリーズ番組の本放送、再放送
が共に表示される場合に、シリーズ番組の本放送を選択すれば本放送の各回を表示させる
ことができ、本放送のみをユーザに容易に視認させることができる。
上記ＥＰＧ画面４１およびシリーズ番組情報一覧４２にはスクロールバー４１ａ，４２ａ
が設けられており、これをリモコンで操作することにより、画面を自由に変更できるよう
になっている。
【図面の簡単な説明】
【００３８】
【図１】本発明の一実施形態による放送受信装置のブロック構成図。
【図２】同装置によって表示されたＥＰＧの一例を示す図。
【図３】図２のＥＰＧの番組選択操作を示す図。
【図４】同装置の操作用リモコンの正面図。
【図５】選択メニュー画面を示す図。
【符号の説明】
【００３９】
１  デジタル／アナログ放送受信機
２  リモコン（入力手段）
４  チューナ（受信手段）
５  ＮＴＳＣデコーダ（アナログ復号手段）
７  ＡＴＳＣフロントエンド（デジダル復号手段）  
８  ＭＰＥＧデコーダバックエンド（信号変換手段）
９  ＯＳＤ回路（ＯＳＤ表示手段）
１１  メモリ（記憶手段）
１３ 制御手段
３０  表示装置
４１  ＥＰＧ画面
４２  シリーズ番組情報一覧
４９  シリーズ情報
【図１】
2006067027.tif 000003
【図２】
2006067027.tif 000004
【図３】
2006067027.tif 000005
【図４】
2006067027.tif 000006
【図５】
2006067027.tif 000007